(57)【特許請求の範囲】
【請求項１】
外枠の開口前面側に各種の遊技用構成部材をセットする中枠が組付けられると共に、当該中枠の前面側には透視窓部が後傾した状態で配置され、当該透視窓部を介して機内部に配置された複数列の図柄を変動表示させる図柄表示手段の図柄が遊技者側から透視可能とされた遊技機において、
前記図柄表示手段は、平板からなる支持板に複数個のプーリが支持され、複数個の各プーリに図柄ベルトを掛け渡して構成されたベルト式の図柄表示手段であり、
前記支持板には、駆動モータと連結される駆動プーリが該駆動プーリの回転中心を前記支持板の前後幅の略中央に位置するように回転可能に支持され、前記駆動プーリの上側で前記駆動プーリよりも直径の小さい従動プーリが該従動プーリの回転中心を前記駆動プーリの回転中心よりも前記支持板の前後幅の前方に位置するように回転可能に支持され、前記駆動プーリと前記従動プーリの間に前記駆動プーリよりも直径の大きいガイドプーリが該ガイドプーリの前側の外周面を前記駆動プーリ及び前記従動プーリよりも前方に突出するように回転可能に支持され、前記従動プーリと略同一径のテンションプーリが前記従動プーリの前記支持板の前後幅の後方に位置するように回転可能に支持されており、
前記各プーリに前記図柄ベルトが掛け渡される場合には、前記図柄ベルトが前記ガイドプーリに掛け渡されることにより前記透視窓部と対向する前側の図柄移動面が略くの字状となり、前記図柄ベルトが前記テンションプーリに掛け渡されることにより該図柄ベルトの移動時の張力がコントロールされるようになっており、
前記図柄表示手段は筐体に収納されており、
前記中枠には、該中枠の中央部に前記筐体を収納するためのセット部が該中枠の前後に開口する形態で形成され、前記セット部の周縁には、該セット部内に収納される前記筐体に対する位置決め用の突条が該セット部の開口される前後方向へ略水平に延びるように配設され、前記筐体外周面には、前記突条が摺動可能な摺動溝が後方上がりで形成されており、
前記図柄表示手段は、前記筐体の前記摺動溝を前記中枠の前記突条に対して相対的に摺動させることにより前記筐体が前記中枠に形成したセット部に対して後傾した状態で位置決め収納される結果、前記透視窓部の平面と直交する軸線に対して前記透視窓部と対向する前側の図柄移動面における図柄移動方向の上流側と下流側が略等角度となるように機内部に配置されている遊技機。
【請求項２】
前記筐体の内側面には、該筐体に収納される電飾表示盤に対する位置決め用の係止ピンが設けられるとともに前記電飾表示盤には前記係止ピンが係止可能な係止溝が形成され、前記筐体の内下面には、該筐体に収納される前記図柄表示手段に対する位置決め用のガイド部が設けられるとともに前記ガイド部には前記支持板の厚みと略同一幅の溝が形成されており、
前記図柄表示手段が前記支持板を前記筐体の対応する前記ガイド部の溝に挿入されることで前記筐体に収納された後、前記電飾表示盤が該電飾表示盤の前記係止溝と前記筐体の前記係止ピンを係止させることで前記筐体に取着されることで、前記図柄表示手段と前記電飾表示盤が収納された図柄表示装置ユニットが構成されている請求項１に記載の遊技機。
【請求項３】
前記図柄表示手段は、遊技中の遊技者の水平視線よりも下方側に位置している請求項１又は請求項２に記載の遊技機。
【発明の詳細な説明】
【０００１】
【発明の属する技術分野】
本発明は、中枠前面側に後傾した状態で配置され、図柄表示手段の図柄を遊技者側から透視可能とする透視窓部を備えた遊技機に関するものである。
【０００２】
【従来の技術】
従来から遊技店に設置される遊技機としては、例えば、メダルを遊技媒体とするスロットマシンなどが知られている。このスロットマシンでは、図柄表示手段の図柄変動を遊技者の操作に基づき始動及び停止させるようになっており、これらの操作部（スタートボタンやストップボタンなど）は、遊技者が長時間遊技を行っても疲労が少ないようにスロットマシンの下部に設置されている。そのため、前記図柄表示手段は遊技性を向上させるために前記操作部の近傍に配置されており、遊技中の遊技者は前記図柄表示手段を見下ろす形態になっていた。従って、前記図柄表示手段を保護すると共に遊技者側から図柄を透視可能とするための透視窓部は、パチンコ遊技機で採用される直立の透視窓部と異なり、斜状（後傾）の透視窓部を採用することがスロットマシンの通常仕様となっている。
【０００３】
また、近年では、スロットマシンの設置導入費などを低減させるためにパチンコ遊技機の設置スペース（所謂パチンコ島）に設置可能なパチンコ遊技球を遊技媒体としたスロットマシン（以下、「パチンコ式スロット」という。）が考え出されている。このパチンコ式スロットによれば、パチンコ遊技球を使用してスロットマシンと同様な遊技（図柄組み合わせゲーム）を行うことができる。
【０００４】
【発明が解決しようとする課題】
ところが、パチンコ島はスロットマシンの設置スペース（所謂スロット島）に比して奥行きが狭くパチンコ式スロットのコンパクト化を考えた場合には、スロットマシンの図柄表示手段として主流であるドラム式の図柄表示手段を採用することができない。そのため、前記パチンコ式スロットにはベルト式の図柄表示手段の採用が考えられていると共に、スロットマシンの図柄変動と同様に輪状感を与えるために、例えば、複数の回転体に図柄ベルトを略くの字状に掛け渡した図柄表示手段が提案されている。
【０００５】
しかしながら、パチンコ式スロットは、スロットマシンと同様に操作部が下部に設置されていることから斜状の透視窓部が採用されている。従って、ドラム式に比して上下方向に移動するベルト式の図柄表示手段を斜状の透視窓部に対して直立状態で機内部に配置すると、当該図柄表示手段の下方側において前記透視窓部との間に無駄なスペースが形成されてしまうという問題があった。
【０００６】
この発明は、このような従来の技術に存在する問題点に着目してなされたものであり、その目的は、透視窓部と図柄表示手段との間に形成される機内部の無駄なスペースを少なくすることができる遊技機を提供することにある。
【０００７】
【課題を解決するための手段】
上記問題点を解決するために、本発明は、外枠の開口前面側に各種の遊技用構成部材をセットする中枠が組付けられると共に、当該中枠の前面側には透視窓部が後傾した状態で配置され、当該透視窓部を介して機内部に配置された複数列の図柄を変動表示させる図柄表示手段の図柄が遊技者側から透視可能とされた遊技機において、前記図柄表示手段は、平板からなる支持板に複数個のプーリが支持され、複数個の各プーリに図柄ベルトを掛け渡して構成されたベルト式の図柄表示手段であり、前記支持板には、駆動モータと連結される駆動プーリが該駆動プーリの回転中心を前記支持板の前後幅の略中央に位置するように回転可能に支持され、前記駆動プーリの上側で前記駆動プーリよりも直径の小さい従動プーリが該従動プーリの回転中心を前記駆動プーリの回転中心よりも前記支持板の前後幅の前方に位置するように回転可能に支持され、前記駆動プーリと前記従動プーリの間に前記駆動プーリよりも直径の大きいガイドプーリが該ガイドプーリの前側の外周面を前記駆動プーリ及び前記従動プーリよりも前方に突出するように回転可能に支持され、前記従動プーリと略同一径のテンションプーリが前記従動プーリの前記支持板の前後幅の後方に位置するように回転可能に支持されており、前記各プーリに前記図柄ベルトが掛け渡される場合には、前記図柄ベルトが前記ガイドプーリに掛け渡されることにより前記透視窓部と対向する前側の図柄移動面が略くの字状となり、前記図柄ベルトが前記テンションプーリに掛け渡されることにより該図柄ベルトの移動時の張力がコントロールされるようになっており、前記図柄表示手段は筐体に収納されており、前記中枠には、該中枠の中央部に前記筐体を収納するためのセット部が該中枠の前後に開口する形態で形成され、前記セット部の周縁には、該セット部内に収納される前記筐体に対する位置決め用の突条が該セット部の開口される前後方向へ略水平に延びるように配設され、前記筐体外周面には、前記突条が摺動可能な摺動溝が後方上がりで形成されており、前記図柄表示手段は、前記筐体の前記摺動溝を前記中枠の前記突条に対して相対的に摺動させることにより前記筐体が前記中枠に形成したセット部に対して後傾した状態で位置決め収納される結果、前記透視窓部の平面と直交する軸線に対して前記透視窓部と対向する前側の図柄移動面における図柄移動方向の上流側と下流側が略等角度となるように機内部に配置されている。
【０００８】
また、前記筐体の内側面には、該筐体に収納される電飾表示盤に対する位置決め用の係止ピンが設けられるとともに前記電飾表示盤には前記係止ピンが係止可能な係止溝が形成され、前記筐体の内下面には、該筐体に収納される前記図柄表示手段に対する位置決め用のガイド部が設けられるとともに前記ガイド部には前記支持板の厚みと略同一幅の溝が形成されており、前記図柄表示手段が前記支持板を前記筐体の対応する前記ガイド部の溝に挿入されることで前記筐体に収納された後、前記電飾表示盤が該電飾表示盤の前記係止溝と前記筐体の前記係止ピンを係止させることで前記筐体に取着されることで、前記図柄表示手段と前記電飾表示盤が収納された図柄表示装置ユニットが構成されている。
【０００９】
また、前記図柄表示手段は、遊技中の遊技者の水平視線よりも下方側に位置している。
【００１０】
【発明の実施の形態】
以下、本発明を遊技機の一種であるパチンコ遊技球（以下、「遊技球」という。）を遊技媒体としたスロットマシン（以下、「パチンコ式スロット」という。）に具体化した一実施形態を図１〜図４に基づき詳細に説明する。なお、以下の説明において、「上」「下」「左」「右」「前」「後」は、パチンコ式スロット１０の機表側から（遊技者側から）見た場合の「上」「下」「左」「右」「前」「後」を示すものとする。
【００１１】
図１にはパチンコ式スロット１０の機表側が概略的に示されており、機体の外郭をなす縦長方形の外枠１１の開口前面側には各種の遊技用構成部材をセットする縦長方形の中枠１２が開閉及び着脱可能に組み付けられている。そして、前記中枠１２の前面側には前枠１３が開閉可能に組み付けられており、当該前枠１３は複数列（本実施形態では３列）の図柄による図柄組み合わせゲームを行う後述する図柄表示手段としての図柄表示装置２３を透視保護している。また、前記前枠１３の略中央には、透明なガラス板１４がセットされる窓口１５が形成されており、当該窓口１５に対応して各種透視窓や各種表示部が形成された透視窓部１６が配置されている。なお、前記透視窓部１６は前記前枠１３（中枠１２）に対して斜状、即ち、遊技者側から見て後傾した状態で配置されている。また、前記図柄表示装置２３は、遊技中の遊技者の水平視線よりも下方に配置されている。
【００１２】
そして、前記透視窓部１６は、前記図柄表示装置２３を構成する第１〜第３図柄表示器２３ａ〜２３ｃの図柄を各別に透視する第１〜第３透視窓１６ａ〜１６ｃと、前記第１透視窓１６ａの左方側に遊技者が選択した賭率に対応する有効ラインを表示する有効ライン表示部１６ｄを備えている。また、前記透視窓部１６は、前記第３透視窓１６ｃの右方側に機内での遊技球の貯留数（所謂クレジット数、）や図柄の組み合わせに基づき払い出される賞球の払出し個数（所謂ペイアウト数）を表示する数値表示部１６ｅを備えている。さらに、前記透視窓部１６は、前記第１〜第３透視窓１６ａ〜１６ｃの下方側に前記第１〜第３図柄表示器２３ａ〜２３ｃの図柄変動の停止状態を各別に表示する停止表示部１６ｆを備えている。なお、前記透視窓部１６はパチンコ式スロット１０の装飾パネル（意匠部）も兼用している。
【００１３】
また、前記透視窓部１６の下方には、遊技者が図柄組み合わせゲームにおける各種操作を行う操作部１７が遊技者側に膨出された形態で配置されている。なお、前記操作部１７は、遊技者が長時間遊技を行っても疲労が少ないようにパチンコ式スロット１０の下部に位置している。そして、前記操作部１７の上側には、図柄組み合わせゲームを開始する（各図柄表示器２３ａ〜２３ｃの図柄変動を開始する）ためのスタートボタン１７ａが配設されている。また、前記スタートボタン１７ａの右方には、賭率を選択するために機内に取込む遊技球の個数を設定するベッドボタン１７ｂが並設されている。
【００１４】
なお、賭率としては、例えば、５個の遊技球で有効ライン数が１本（有効ライン表示部１６ｄの「１」のライン）、１０個の遊技球で有効ラインが３本（前記表示部１６ｄの「１」と「２」のライン）、１５個の遊技球で有効ラインが５本（前記表示部１６ｄの「１」〜「３」のライン）となっている。また、前記操作部１７の前面側（遊技者と対向する側）には、前記第１〜第３図柄表示器２３ａ〜２３ｃの図柄変動を各別に停止させる停止ボタン１７ｃが配設されている。
【００１５】
そして、前記前枠１３の下部には、賭率の選択時にパチンコ式スロット１０側に取り込む遊技球を貯留する取込皿１８及びパチンコ式スロット１０から払い出された遊技球を貯留する貯留皿１９等を備えた球皿ユニット２０が装着セットされている。なお、前記取込皿１８には、パチンコ式スロット１０から払い出された遊技球、あるいは、貯留皿１９から遊技者が移動させた遊技球などが貯留されるようになっている。
【００１６】
一方、図２には前記前枠１３が取り外された状態の中枠１２の前面側が概略的に示されており、同図において、前記中枠１２の略中央には前記図柄表示装置２３を収納するための装着部としてのセット部２１が前後に開口した形態で形成されている。そして、前記セット部２１の左右各側面２１ａ，２１ｂには、前記図柄表示装置２３の筐体としてのケース３１（後述する）を位置決めするための一対の突条２２ａ，２２ｂが形成されている。なお、前記突条２２ａ，２２ｂは、前記セット部２１の前後方向に向かって略水平に延設されている。
【００１７】
次に、前記透視窓部１６を介して機内部に配置された複数列の図柄を変動表示させる前記図柄表示装置２３の構成を図３及び図４に基づき詳細に説明する。
本実施形態における前記図柄表示装置２３は、前記第１〜第３図柄表示器２３ａ〜２３ｃと当該各図柄表示器２３ａ〜２３ｃを各別に駆動制御するための図示しない制御ユニット（ステッピングモータなどの駆動モータや制御基板など）から構成されている。
【００１８】
そして、前記第１〜第３図柄表示器２３ａ〜２３ｃは略長方形の平板からなる支持板２４を備えており、当該支持板２４の下方側（最下側）には回転体としての駆動プーリ２５が回転可能に支持（配置）されている。なお、前記駆動プーリ２５には前記駆動モータが連結されると共に、前記駆動プーリ２５の回転中心Ｒ１は、支持板２４の前後幅の略中央に位置している。また、前記支持板２４の上方（最上）前側には、前記駆動プーリ２５よりも直径の小さい回転体としての従動プーリ２６が前記駆動プーリ２５の回転中心Ｒ１よりも前方に回転中心Ｒ２を位置した形態で支持（配置）されている。即ち、前記回転中心Ｒ１と回転中心Ｒ２は同一鉛直線上に位置されていない。
【００１９】
そして、前記駆動プーリ２５と従動プーリ２６との間には、前記駆動プーリ２５よりも直径の大きい回転体としてのガイドプーリ２７が回転可能に支持（配置）されている。従って、前記ガイドプーリ２７の前側の外周面は、前記駆動プーリ２５及び従動プーリ２６の前側の外周面よりも前方に突出している。また、前記支持板２４の上方後側には、前記従動プーリ２６と略同一径のテンションプーリ２８が回転可能に支持（配置）されている。
【００２０】
そして、前記各プーリ２５〜２８間には、その外周面に沿って各種図柄（例えば、「７」などの数字図柄やフルーツなどの絵図柄など）が等間隔に表示された無端状の図柄ベルト２９を掛け渡すことでベルト式の図柄表示装置２３（各図柄表示器２３ａ〜２３ｃ）を構成している。また、前記各プーリ２５〜２８間に掛け渡された前記図柄ベルト２９は、前記透視窓部１６（第１〜第３透視窓１６ａ〜１６ｃ）と対向する前側の図柄移動面が略くの字状となっている。なお、本実施形態における前側の図柄移動面とは、前記透視窓部１６（各透視窓１６ａ〜１６ｃ）から遊技者が可視可能な図柄ベルト２９の面である。
【００２１】
そして、前記図柄ベルト２９は、駆動モータの駆動により前記各プーリ２５〜２８を介して図柄移動方向（図柄が上から下に移動する方向）に移動することで、前記各透視窓１６ａ〜１６ｃから遊技者が可視可能な図柄を変動するようになっている。また、遊技者は、前記各透視窓１６ａ〜１６ｃを介して前記図柄移動面における図柄移動方向の上流側で図柄が後方から前方に、下流側で図柄が前方から後方に移動（変動）する態様を可視することができ、ドラム式の図柄表示装置と同様な輪状感を得ることができる。なお、図柄移動方向の上流側とは図柄が遊技者に接近する側（方向）であり、図柄移動方向の下流側とは図柄が遊技者から離間する側（方向）である。そして、前記図柄ベルト２９は、その移動時の張力を前記テンションプーリ２８によりコントロールされており、図柄ベルト２９の破損などが抑制されている。
【００２２】
また、前記支持板２４には、図４に示すように、図柄組み合わせゲーム時などの演出として図柄ベルト２９を後方から照射する照明手段としてのランプ装置３０が配設されている。なお、図３では各プーリ２５〜２８が簡略して図示されており、前記ランプ装置３０は省略されている。そして、前記ランプ装置３０はソケット部３０ａに複数（本実施形態では３つ）のランプ３０ｂを装着した形態で、略Ｌ字状に形成された上下一対の取付柄３０ｃによって支持板２４に取着されている。なお、前記ランプ装置３０は、図５に示すように、前記ガイドプーリ２７を構成する一対の摺動リング２７ａ間に配置されている。そして、前記摺動リング２７ａの上側（下側）に位置して水平方向に折曲げられた取付柄３０ｃにより前記支持板２４に対し取着されることで前記ガイドプーリ２７と干渉しないようになっている。
【００２３】
また、前記図柄表示装置２３は前記ケース３１に収納されるようになっており、当該ケース３１はその前側に開口部３２を、内部に収納空間Ｓを有した箱型で形成されている。そして、前記ケース３１は、その大きさが前記中枠１２のセット部２１と略同一の上下左右寸法で形成され、前記セット部２１に対し収納される。また、前記ケース３１の内下面３１ａには、前記収納空間Ｓ内に前記第１〜第３図柄表示器２３ａ〜２３ｃを各別に位置決め収納するための複数（本実施形態では３本）の第１〜第３ガイド部３３ａ〜３３ｃが設けられている。そして、前記各ガイド部３３ａ〜３３ｃは断面チャンネル状に形成されており、前記各図柄表示器２３ａ〜２３ｃの支持板２４の厚みと略同一幅の溝部３３ｄが上下方向に形成されている。
【００２４】
また、前記ケース３１の左右各内側面３１ｂ，３１ｃには、後述する電飾表示盤３６を位置決め取着するための一対の係止ピン３４ａ，３４ｂが前記収納空間Ｓの中央側に向かって略水平に突出形成されている。さらに、前記ケース３１の左右各外側面３１ｄ，３１ｅには一対の摺動溝３５が形成されており、前記中枠１２のセット部２１に設けられた突条２２ａ，２２ｂが填め込まれるようになっている。そして、前記摺動溝３５は、前記ケース３１の後傾角度γ（図４に示す。）に対応した角度だけ傾斜した状態（後方上がり）で形成されている。従って、前記ケース３１は、前記摺動溝３５と前記セット部２１の突条２２ａ，２２ｂからなる位置決め手段により前記セット部２１に対し後傾した状態（直立状態から後傾角度γ分だけ後傾した状態）で位置決め収納される。
【００２５】
一方、前記電飾表示盤３６はその略中央に開口部３７を備えた形態で前記ケース３１の開口部３２と略同一の上下左右寸法で形成されており、前記開口部３２に対し取着されるようになっている、そして、前記開口部３７の上下方向長さは、図４に示すように、前記透視窓部１６の各透視窓１６ａ〜１６ｃの上下方向長さよりも長くなっており、前記各図柄表示器２３ａ〜２３ｃの図柄表示に適した大きさで形成されている。また、前記開口部３７の周囲には各種ランプ類が配設されており、前記開口部３７の左方には前記透視窓部１６の有効ライン表示部１６ｄに対応して点灯／消灯する複数のランプ３８が配置されている。そして、前記ランプ３８は、遊技者による前記ベッドボタン１７ｂの操作に基づき図柄組み合わせゲームで有効となる所定の有効ラインに対応するランプ３８が点灯するようになっている。
【００２６】
また、前記開口部３７の右方には前記透視窓部１６の数値表示部１６ｅに対応して所定の数値を表示する表示ランプ３９（例えば、７セグメントＬＥＤなど）が配置されている。そして、前記表示ランプ３９は、機内での遊技球の貯留数や賞球の払出し個数に応じた所定の数値を可変表示するようになっている。さらに、前記開口部３７の下方には前記透視窓部１６の停止表示部１６ｆに対応して点灯／消灯する複数のランプ４０が配置されている。そして、前記ランプ４０は、遊技者による前記停止ボタン１７ｃの操作に基づき停止した前記各図柄表示器２３ａ〜２３ｃに対応するランプ４０が点灯するようになっている。また、前記電飾表示盤３６の左右両側面３６ａ，３６ｂには、前記ケース３１の係止ピン３４ａ，３４ｂに対応した位置に係止溝４１が設けられている。
【００２７】
従って、前記各図柄表示器２３ａ〜２３ｃは、前記各支持板２４を前記ケース３１の対応する各ガイド部３３ａ〜３３ｃに挿入させた後に、後方へ摺動させることで前記ケース３１の収納空間Ｓに収納される。そして、前記ケース３１の開口部３２には、当該ケース３１の係止ピン３４ａ，３４ｂと電飾表示盤３６の係止溝４１を係止させることで前記電飾表示盤３６が位置決めされる。その後、前記ケース３１の左右外側面３１ｄ，３１ｅ側から図示しないビスなどにより前記電飾表示盤３６が前記ケース３１に対し取着固定される。その結果、前記図柄表示装置２３がケース３１に収納された図柄表示装置ユニット４２が完成する。
【００２８】
また、前記図柄表示装置ユニット４２を前記中枠１２に組み付ける場合には、図２に示すように前記中枠１２が開放された状態で中枠１２のセット部２１に対し前記図柄表示装置ユニット４２を位置決めする。そして、中枠１２の前面側から図柄表示装置ユニット４２（ケース３１）の摺動溝３５を前記セット部２１の突条２２ａ，２２ｂに対して相対的に摺動させる。その結果、前記図柄表示装置ユニット４２は、前記セット部２１に対して後傾した状態で位置決め収納される。そして、前記図柄表示装置ユニット４２が位置決め収納された中枠１２に対し前記前枠１３を閉鎖セットすることで前記パチンコ式スロット１０の組み付けが完了する。
【００２９】
次に、パチンコ式スロット１０に前記図柄表示装置２３（図柄表示装置ユニット４２）が組付けられた態様を図４に基づきさらに詳細に説明する。なお、図４は、図１におけるＡ−Ａ線断面を概略的に示しており、第２図柄表示器２３ｂのみが図示されると共に中枠１２が省略されている。
【００３０】
組付後の前記図柄表示装置２３（第１〜第３図柄表示器２３ａ〜２３ｃ）は、前記透視窓部１６の平面としての前面１６ｇ（又は後面１６ｈ）と直交する軸線Ｌに対して前記透視窓部１６（第１〜第３透視窓１６ａ〜１６ｃ）と対向する前記前側の図柄移動面における図柄移動方向の上流側と下流側が略等角度となっている。
【００３１】
即ち、前記各透視窓１６ａ〜１６ｃから遊技者が可視できる前記図柄移動面のうち、最も遊技者側に近づく位置が前記図柄移動方向の上流側と下流側の切換点Ｒとなっている。そして、前記各図柄表示器２３ａ〜２３ｃでは、前記切換点Ｒにおいて、前記軸線Ｌに対し直交する基準線Ｌ１と上流側に位置する図柄移動面でなす角度が傾斜角αとされている。また、各図柄表示器２３ａ〜２３ｃでは、前記基準線Ｌ１と下流側に位置する図柄移動面でなす角度が傾斜角βとされている。なお、前記基準線Ｌ１は、前記軸線Ｌに対し前記パチンコ式スロット１０の上下方向に直交した線である。そして、前記図柄表示装置２３（各図柄表示器２３ａ〜２３ｃ）は、前記傾斜角αと傾斜角βの角度が略同一角度となるように機内部に配置される。また、前記両傾斜角α，βは、本実施形態のように前記図柄ベルト２９の図柄移動面が曲面的（円弧状又は曲線状）である場合に鋭角同志の組み合わせとなる。一方、前記図柄ベルト２９の図柄移動面が平面的（直線状）である場合の前記両傾斜角α，βは、前記基準線Ｌ１と前記図柄移動面が同一直線状になることから共に略零度となる。
【００３２】
また、前記ケース３１は、前記両傾斜角α，βの角度が略同一角度となるように決定された前記後傾角度γに基づき前記中枠１２のセット部２１に対し後傾した状態で位置決め収納される。このとき、前記ケース３１に収納された前記図柄図柄表示装置２３（各図柄表示器２３ａ〜２３ｃ）は、前記ケース３１を直立状態で前記セット部２１に収納した場合に比して前記後傾角度γだけ後傾した状態で機内部に配置される。
【００３３】
そして、前記中枠１２のセット部２１に収納された後の前記ケース３１は、その上方側が機裏側寄りに位置すると共に下方側が機表側寄りに位置する。そのため、前記ケース３１（図柄表示装置２３）の下方側は透視窓部１６近傍に配置され、透視窓部１６と図柄表示装置２３との間の無駄なスペースが排除される。
【００３４】
従って、本実施形態によれば、以下に示す効果を得ることができる。
（１）  図柄表示装置２３が後傾した状態で機内部に配置されている。そのため、後傾した透視窓部１６を有する遊技機（パチンコ式スロット１０）で図柄表示装置２３を直立状態で機内部に配置した場合に比して、図柄表示装置２３の下部側において前記透視窓部１６との間で形成される無駄なスペース（図４で示すＨ部分）を少なくすることができる。その結果、パチンコ式スロット１０の機内部における限られたスペースを有効に活用することできる。
【００３５】
（２）  また、図柄表示装置２３を後傾した状態で機内部に配置しているため、前記操作部１７に併せて遊技中の遊技者の水平視線よりも下方に配置される前記図柄表示装置２３の図柄を見易くすることができる。即ち、後傾した状態の前記透視窓部１６に対応して前記図柄表示装置２３を後傾した状態にすることで図柄の視認性が向上し、例えば、有効ライン上の図柄判別など遊技性を向上させることができる。
【００３６】
（３）  前記各図柄表示器２３ａ〜２３ｃの図柄ベルト２９は、各プーリ２５〜２８により略くの字状となるように掛け渡されている。そのため、ドラム式の図柄表示装置と同様に図柄変動時の輪状感を遊技者に対し与えることができる。また、図柄表示装置２３を後傾した状態にすることで前記図柄ベルト２９の図柄移動面は、後傾した前記透視窓部１６と対向し遊技者に対し輪状感をより強く与えることができる。
【００３７】
（４）  図柄表示装置２３がケース３１に収納された状態で前記中枠１２に装着されている。そのため、組み付け時には、図柄表示装置２３を図柄表示装置ユニット４２として扱うことができ、組み付け性を向上させることができる。また、ケース３１は後傾されて前記中枠１２に収納されるため、各図柄表示器２３ａ〜２３ｃを同一角度で確実に後傾させることができる。
【００３８】
（５）  中枠１２のセット部２１、各図柄表示器２３ａ〜２３ｃ、ケース３１及び電飾表示盤３６には、それぞれ対応するように位置決め手段が備えられている。即ち、各図柄表示器２３ａ〜２３ｃの支持板２４とケース３１の各ガイド部３３ａ〜３３ｃが、ケース３１の各係止ピン３４ａ，３４ｂと電飾表示盤３６の各係止溝４１が、ケース３１の各摺動溝３５とセット部２１の各突条２２ａ，２２ｂがそれぞれ対応して位置決め手段を構成している。そのため、組み付け時において各構成間で位置ズレを生じさせることなく組付性を向上させることができる。
【００３９】
（６）  各図柄表示器２３ａ〜２３ｃを構成する図柄ベルト２９の後方にランプ装置３０が配置されている。そのため、図柄組み合わせゲーム時などにおいて図柄ベルト２９を後方から照射し効果的な演出を行うと共に、図柄を見易くすることができる。また、前記ランプ装置３０がガイドプーリ２７の摺動リング２７ａ間に配置されているため、各図柄表示器２３ａ〜２３ｃの大型化を抑制することができる。
【００４０】
なお、前記実施形態は以下のように変更してもよい。
・前記実施形態では、図柄表示装置２３（各図柄表示器２３ａ〜２３ｃ）がケース３１に収納されているが、直接、中枠１２のセット部２１に対し位置決め収納されても良い。この場合、前記ケース３１に設けられた前記第１〜第３ガイド部３３ａ〜３３ｃを斜状（後方下がり）状態で前記セット部２１の下面に設ければ良い。また、支持板２４で支持される各プーリ２５〜２８の配置を図柄ベルト２９の図柄移動面が後傾するように変更（例えば、駆動プーリ２５を前方側に、従動プーリ２６やテンションプーリ２８を後方側に移動させるなど。）しても良い。
【００４１】
・前記実施形態では、ケース３１をセット部２１に対し後傾させた状態で収納することで図柄表示装置２３を後傾させているが、各図柄表示器２３ａ〜２３ｃをケース３１に対し後傾した状態で収納させても良い。この場合、例えば、前記第１〜第３ガイド部３３ａ〜３３ｃを斜状（後方下がり）状態として設けても良いし、支持板２４で支持される各プーリ２５〜２８の配置を図柄ベルト２９の図柄移動面が後傾するように変更しても良い。なお、各図柄表示器２３ａ〜２３ｃを後傾した状態で前記ケース３１に収納する場合、ケース３１の摺動溝３５は水平溝とし、ケース３１はセット部２１に直立状態で位置決め収納される。
【００４２】
・前記実施形態では、図柄ベルト２９が略くの字状となるように前記各プーリ間２５〜２８に掛け渡されているが、例えば、同一径の駆動プーリと従動プーリにより図柄ベルトを平面的に掛け渡しても良い。そして、このように構成された図柄表示装置２３を後傾した状態で機内部に配置しても良い。なお、この場合、前記図柄移動方向の上流側及び下流側の各傾斜角α，βの角度は共に略零度となっている。
【００４３】
・また、１つの駆動プーリと２つの従動プーリを三角形の各頂点となるように配置し、当該各プーリ間に図柄ベルト２９を掛け渡して略三角形状の図柄表示装置２３（各図柄表示器２３ａ〜２３ｃ）を構成しても良い。そして、３辺（３面）のうちいずれか一辺（一面）を前記透視窓部１６に対し平行にすることで、図柄移動方向の上流側及び下流側のにおける両傾斜角α，βが略零度となった状態で機内部に配置することができる。
【００４４】
・なお、前記実施形態では、傾斜角α，βを基準線Ｌ１と上流側及び下流側の図柄移動面とでなす角度としたが、前記軸線Ｌと前記各図柄移動面でなす角度を傾斜角α，βとしても良い。この場合、本実施形態のように図柄移動面が曲面的であると前記傾斜角α，βは鈍角同志の組み合わせとなり、平面的であると前記傾斜角α，βは直角同志の組み合わせとなる。
【００４５】
・前記実施形態では、各支持板２４に４つの各プーリ２５〜２８を支持してベルト式の各図柄表示器２３ａ〜２３ｃを構成しているが、ベルト式の図柄表示器を構成するためには少なくとも２つのプーリが支持板２４に支持されていれば良く、プーリの数は２つ以上であれば特に限定されない。
【００４６】
・前記実施形態ではケース３１の後傾角度γ、図柄移動方向の上流側及び下流側の各傾斜角α，βの角度を具体的に示していないが、前記後傾角度γは前記両傾斜角α，βの設定角度によって決定されるものである。また、前記両傾斜角α，βの角度は、透視窓部１６の後傾角度、図柄表示装置２３の構造（例えば、図柄ベルト２９の掛け渡し方（平面的や略くの字状など）や各プーリ２５〜２８の配置）など遊技機（パチンコ式スロット１０）の設計仕様に応じて適宜決定されるものである。そして、前記後傾角度γは、決定された前記両傾斜角α，βの角度に基づき一義的に決定される。
【００４７】
・前記実施形態では、透視窓部１６がパチンコ式スロット１０の装飾パネルを兼用（一体成形）していたが、透視窓部１６にはガラス板１４のみとして別体として形成した装飾パネルを図柄表示装置ユニット４２（電飾表示盤３６）の前側に取着しても良い。
【００４８】
・前記実施形態では、前記図柄表示装置２３（図柄表示装置ユニット４２）が中枠１２側に装着されているが、前記図柄表示装置２３を前枠１３（透視窓部１６）側に後傾した状態で装着するようにしても良い。この場合、中枠１２にはセット部２１のみが形成されて前記突条２２ａ，２２ｂが省略されると共に、前記ケース３１の摺動溝３５も省略される。
【００４９】
・前記実施形態では、前記セット部２１に突条２２ａ，２２ｂが、ケース３１に摺動溝３５が形成されているが、その関係を逆にして前記セット部２１に摺動溝３５を、前記ケース３１に突条２２ａ，２２ｂを形成して位置決め手段を構成しても良い。また、前記セット部２１の突条２２ａ，２２ｂを斜状（後方下がり）に形成すると共に、前記ケース３１の摺動溝３５を水平に形成しても良い。
【００５０】
・前記実施形態では、パチンコ式スロット１０の図柄表示装置２３を後傾させているが、例えば、パチンコ遊技機など他の遊技機で採用されるベルト式の図柄表示装置を後傾させても良い。また、ベルト式の図柄表示装置に限定されず、例えば、液晶画面で構成される図柄表示装置などであっても良い。この場合においても遊技者が可視可能な画面（図柄移動面）と直交する軸線に対し図柄移動方向の上流側と下流側の各傾斜角α，βを略等角度とすることで前記図柄表示装置を後傾した状態で機内部に配置できる。
【００５１】
次に上記実施形態及び別例から把握できる技術的思想を以下に追記する。
（イ）  前記図柄表示手段は筐体に収納されており、当該筐体が前記中枠に設けられた装着部に対して後傾した状態で位置決め収納される。
【００５２】
（ロ）  前記装着部と筐体との間には、互いに対応する位置決め手段が設けられている。
（ハ）  前記図柄表示手段には、前記透視窓部で可視可能な前記図柄移動面の後方側から当該移動面を照射するための照明手段が設けられている。
【００５３】
（ニ）  前記図柄表示手段の図柄変動は、パチンコ球を遊技媒体として遊技者の操作に基づき始動及び停止が行われる。
【００５４】
【発明の効果】
本発明によれば、透視窓部と図柄表示手段との間に形成される機内部の無駄なスペースを少なくすることができる。
【図面の簡単な説明】
【図１】  パチンコ式スロットの機表側を示す正面図。
【図２】  中枠の前面側を示す正面図。
【図３】  図柄表示装置ユニットを示す分解斜視図。
【図４】  透視窓部と図柄表示装置の関係を示す図１のＡ−Ａ線断面図。
【図５】  ランプ装置の取付態様を示す平面図。
【符号の説明】
１０…パチンコ式スロット（遊技機）、１１…外枠、１２…中枠、１６…透視窓部、１６ｇ…透視窓部の前面（平面）、１６ｈ…透視窓部の後面（平面）、２１…セット部（装着部）、２３…図柄表示装置（図柄表示手段）、２３ａ〜２３ｃ…第１〜第３図柄表示器（図柄表示装置を構成する）、２５…駆動プーリ（回転体）、２６…従動プーリ（回転体）、２７…ガイドプーリ（回転体）、２８…テンションプーリ（回転体）、２９…図柄ベルト、３０…ランプ装置（照明手段）、３１…ケース（筐体）。
【図１】
0004450502.tif 000002
【図２】
0004450502.tif 000003
【図３】
0004450502.tif 000004
【図４】
0004450502.tif 000005
【図５】
0004450502.tif 000006